(57)【要約】【課題】  停電時に低コストで避難者を誘導することができる商品情報表示具を提供する。【解決手段】  透光性を有する合成樹脂から成る矩形板状の正面板２と、正面板２に平行に隣接して配置される矩形板状の背面板３と、正面板２の一側部２ａと背面板３の一側部３ａとを連結する断面凹状の第１連結部４と、背面板３の一側部３ａに平行な他側部３ｂから該背面板３の一側部３ａに向かって、背面板３から離反する方向に傾斜して配置される矩形板状の支持板５と、畜光性顔料を含有する熱可塑性合成樹脂から成り、背面板３の他側部３ｂと支持板５の一側部５ａとを連結する断面凹状の第２連結部６とによって、商品情報表示具１を構成する。【選択図】      図１
2013186276.tif 000002
【特許請求の範囲】
【請求項１】
透光性を有する合成樹脂から成る矩形板状の正面板と、
前記正面板に平行に隣接して配置される矩形板状の背面板と、
前記正面板の一側部と、前記背面板の一側部とを連結する断面凹状の第１連結部と、
前記背面板の前記一側部に平行な他側部から該背面板の前記一側部に向かって、前記正面板とは反対側で前記背面板から離反する方向に傾斜して配置される矩形板状の支持板と、
畜光性顔料を含有する熱可塑性合成樹脂から成り、前記背面板の前記他側部と、前記支持板の前記背面板の他側部に隣接して配置される一側部とを連結する断面凹状の第２連結部とを含むことを特徴とする商品情報表示具。
【請求項２】
前記正面板の他側部には、蓄光性顔料を含有する熱可塑性合成樹脂から成る畜光部が設けられることを特徴とする請求項１に記載の商品情報表示具。
【請求項３】
前記第２連結部の厚みは、０．４ｍｍ以上、２ｍｍ以下に選ばれることを特徴とする請求項１または２に記載の商品情報表示具。
【請求項４】
前記第２連結部の前記背面板から前記支持板にわたる幅は、２ｍｍ以上、２０ｍｍ以下に選ばれることを特徴とする請求項１〜３のいずれ１つに記載の商品情報表示具。
【請求項５】
前記第２連結部の表面硬度は、ＨＤＡ１５秒で５０以上、９０以下に選ばれることを特徴とする請求項１〜４のいずれか１つに記載の商品情報表示具。
【発明の詳細な説明】
【技術分野】
【０００１】
本発明は、商品名、商品価格などの商品情報を表示するプライスカードなどの商品情報表示シートを保持して商品陳列棚、冷凍庫などに設置される商品情報表示具に関する。
【背景技術】
【０００２】
典型的な従来技術は、たとえば特許文献１に開示されている。この従来技術の商品情報表示具では、上面の前端近傍に幅方向に延びる溝が形成された商品陳列棚の棚板の溝に、下方に向けて端部を有する支持板の該端部が挿入されることによって前記商品陳列棚に固定される商品情報表示具において、前記支持板の前記溝に挿入される部分の後方側には、支持板の素材よりも軟質な素材から構成された突起が形成される。
【０００３】
このような構成によって、商品情報表示具に商品陳列棚の後方から商品が当たると、支持板の挿入している部分は、後方に揺動し、その際に支持板の後方側に形成された突起は、溝の後方側の面に当たるが、その際、その突起は支持板の素材よりも軟質な素材から成るので、変形することによって衝撃を吸収し、商品情報表示具が商品陳列棚から抜け落ちることを防止している。
【先行技術文献】
【特許文献】
【０００４】
【特許文献１】特開２０１１−１１５６１６号公報
【発明の概要】
【発明が解決しようとする課題】
【０００５】
前記従来技術では、商品情報表示具は商品情報が表記されたプライスカードとも呼ばれる商品情報表示シートを保持し、外力の作用によって容易に設置対象物から抜け落ちて落下してしまうことを防ぐことができ、商品情報表示シートの表記を表示した状態に維持することができる。
【０００６】
停電時には、店内の誘導灯や誘導標識は非常用電源からの電力によって点灯するため、速やかな避難が可能であるが、それらは天井付近に設置されているため、火災時には天井付近に滞留した煙のために、誘導灯の床を照らす光量の低下や、誘導標識が認識できなくなるなどの不具合が発生する。これらを改善、補助するため、床上１ｍ以下に非常用電源を備えた誘導標識を設置することが考えられるが、導入コストが高価であるという問題がある。
【０００７】
本発明の目的は、低コストで、停電時に避難者を誘導することができる商品情報表示具を提供することである。
【課題を解決するための手段】
【０００８】
本発明は、透光性を有する合成樹脂から成る正面板と、
前記正面板に平行に隣接して配置される背面板と、
前記正面板の一側部と、前記背面板の一側部とを連結する断面凹状の第１連結部と、
前記背面板の前記一側部に平行な他側部から該背面板の前記一側部に向かって、前記正面板とは反対側で前記背面板から離反する方向に傾斜して配置される支持板と、
畜光性顔料を含有する熱可塑性合成樹脂から成り、前記背面板の前記他側部と、前記支持板の前記背面板の他側部に隣接して配置される一側部とを連結する第２連結部とを含むことを特徴とする商品情報表示具である。
【０００９】
また本発明は、前記正面板の他側部には、蓄光性顔料を含有する熱可塑性合成樹脂から成る畜光部が設けられることを特徴とする。
【００１０】
さらに本発明は、前記第２連結部の厚みは、０．４ｍｍ以上、２ｍｍ以下に選ばれることを特徴とする。
【００１１】
さらに本発明は、前記第２連結部の前記背面板から前記支持板にわたる幅は、２ｍｍ以上、２０ｍｍ以下に選ばれることを特徴とする。
【００１２】
さらに本発明は、前記第２連結部の表面硬度は、ＨＤＡ１５秒で５０以上、９０以下に選ばれることを特徴とする。
【発明の効果】
【００１３】
本発明によれば、畜光性顔料を含有する熱可塑性合成樹脂から成る第２連結部を有するので、停電などによって消灯したとき、第２連結部が蓄光を発し、暗闇であっても通過の障害となる物品の存在を明示し、避難場所などへ誘導することが可能となる。また、商品情報表示具は、第２連結部を、畜光性顔料を含有する熱可塑性合成樹脂から成り、その他の部位は従来と同様な材料を用いることができるので、構成を大きく変更する必要がなく、商品情報表示具を安価に製造することができる。
【図面の簡単な説明】
【００１４】
【図１】本発明の一実施形態の商品情報表示具１を示す断面図である。
【図２】商品情報表示具１が商品陳列棚１２に設置された状態を示す斜視図である。
【図３】挿入部１１付近の拡大断面図である。
【図４】挿入部１１の溝１５への挿入・離脱動作を説明するための拡大断面図である。
【図５】本発明の他の実施形態の商品情報表示具１ａの一部の拡大断面図である。
【発明を実施するための形態】
【００１５】
図１は本発明の一実施形態の商品情報表示具１を示す断面図であり、図２は商品情報表示具１が商品陳列棚１２に設置された状態を示す斜視図である。本実施形態の商品情報表示具１は、突然の停電時、顧客などの避難者が暗闇の中、商品棚などとの衝突を防ぎ、迅速な避難ができるように、通路の商品陳列棚１２および壁面などに、避難する方向に沿ってライン状の蓄光を放出させ、誘導光として表示させ、店舗、商業施設で使用され、暗闇状況下で障害物との衝突を回避し、迅速な避難を補助することができる。商品情報表示具１は、普段はプライスカードホルダとして使用するため、店舗内装デザインを損ねることなく、存在感を感じないように設置することができる。
【００１６】
前記商品情報表示具１は、透光性を有する合成樹脂から成る矩形板状の正面板２と、前記正面板２に平行に隣接して配置される矩形板状の背面板３と、前記正面板２の一側部２ａと、前記背面板３の一側部３ａとを連結する断面凹状の第１連結部４と、前記背面板３の前記一側部３ａに平行な他側部３ｂから該背面板３の前記一側部３ａに向かって、前記背面板３から離反する方向に傾斜して配置される矩形板状の支持板５と、畜光性顔料を含有する熱可塑性合成樹脂から成り、前記背面板３の前記他側部３ｂと前記支持板５の前記背面板３の他側部３ｂに隣接して配置される一側部５ａとを連結する断面凹状の第２連結部６とを含む。前記正面板２の他側部２ｂには、蓄光性顔料を含有する熱可塑性合成樹脂から成る畜光部７が設けられる。
【００１７】
前記正面板２と背面板３との間には、プライスカードＣが介在される。このプライスカードＣは、紙、加工紙または合成樹脂シートから成り、商品の価格、割引率などの商品情報が表記されている。
【００１８】
前記第２連結部６の厚みＴ１は、０．４ｍｍ以上、２ｍｍ以下に選ばれる。また、前記第２連結部６の前記背面板３から前記支持板５にわたる幅Ｗは、２ｍｍ以上、２０ｍｍ以下に選ばれる。さらに、前記第２連結部６の表面硬度は、ＨＤＡ１５秒で５０以上、９０以下に選ばれる。
【００１９】
前記支持板５は、その下端となる他側部５ｂから後方（図１の右方）に突出し、上方に延びる屈曲部１０および前記他側部５ｂから前方（図１の左方）に突出し、下方に延びる挿入部１１を有する。屈曲部１０は、その下端およびその近傍が商品陳列棚１２の棚板１３の上面の前端近傍に形成された溝１５に挿入可能に構成される。
【００２０】
前記棚板１３は、商品が載置され、略水平に配置される載置部１３ａと、載置部１３ａの一側縁部から下方（図１の下方）にほぼ直角に立ち下がる側壁部１３ｂと、側壁部１３ｂの下端部に連なり、該下端部から通路Ｐ側（図１の左側）にほぼ直角に突出する突出部１３ｃと、側壁部１３ｂに溶接またはビス止めされて固定される取付補助部材１３ｄとを有する。
【００２１】
取付補助部材１３ｄは、側壁部１３ｂに前述のように溶接またはビス止めされて固定される固定部分１３ｄ１、固定部分１３ｄ１の上端部にほぼ直角に連なり、前記通路Ｐ側に突出する突出部分１３ｄ２、突出部分１３ｄ２の最も通路Ｐ側の側端部に上方に向けてほぼ直角に連なり、断面が逆Ｊ字状の案内部分１３ｄ３、前記固定部分１３ｄ１の下端部に連なり、下方に向かって通路Ｐ側に傾斜するばね板部分１３ｄ４、およびばね板部分１３ｄ４の下端部に連なり、上方（図１の上方）に突出する屈曲部分１３ｄ５を有する。このような棚板１３は、たとえばステンレス鋼板の曲げ加工材から成る。
【００２２】
図３は挿入部１１付近の拡大断面図であり、図４は挿入部１１の溝１５への挿入・離脱動作を説明するための拡大断面図である。前記挿入部１１の先端部１６には、軟質の抜止め部１７が一体的に形成される。この抜止め部１７は、支持板５の素材よりも軟質な素材から成り、下方に向かって先細りとなる平面状のテーパ面１８を有している。このテーパ面１８が硬質樹脂から成るので、商品陳列棚１２の棚板１３に形成される溝１５に容易に挿入することができる。
【００２３】
前記先端部１６の厚み方向に平行な幅（＝Ｂ１＋Ｂ２）は、溝１５の幅Ｂよりも僅かに大きく形成され、さらに詳しくは、断面において底部が挿入口よりも広幅に形成される場合が多く、先端部１６が溝１５の後方側の内面に押圧された状態で、溝１５に挿入される。先端部１６の溝１５からの離脱時には、前記先端部１６の幅（＝Ｂ１＋Ｂ２）が溝１５の幅Ｂより大きい場合や、溝１５が先端部１６よりも広がっていた場合であっても、前記抜止め部１７が前記後方側の内面に摺動し、先端部１６の溝１５内の移動を規制して、該先端部１６の溝１５からの抜け出しが抑制される。このような構成によって、物品の当接などによって商品情報表示具１が棚板１３から容易に抜け出して落下してしまうことを防止することができる。
【００２４】
また、挿入時は、前記棚板１３の案内部分１３ｄ３が側壁部１３ｂから離反する方向に塑性変形し難いため、先端部１６の側壁部１３ｂへの接触を少なくし、円滑に挿入することができる。
【００２５】
次に、前記第２連結部６に蓄光機能を付与する一例として、蓄光性顔料を使用する。蓄光を付与する方法としては、樹脂に直接練込む方法、樹脂表面の塗装する方法、蓄光性顔料入りテープをプライスカードＣに接着するなどの方法があるが、樹脂練込み法が安価で生産性に優れているため、練込み法によって第２連結部６に畜光性を付与する手法について説明する。
【００２６】
第２連結部６は、硬質材料および軟質材料のいずれでもよいが、商品情報表示具１の上部である第２連結部６には、商品の取出し時に接触、衝突が多々発生する。また、樹脂に畜光性顔料を練り込むと、衝撃強度の低下を引き起こし易いことから、本実施形態では表面硬度ＨＤＡ１５秒で９０（以下、「ＨＤＡ９０」と略記する場合がある。ただし、数値は表面硬度の任意の値とする。）以下を選択している。蓄光性顔料を練り込んだ状態がＨＤＡ９０以下となるためには、練り込む前の原料は、ＨＤＡ９０未満の材料を使用しなければならない。蓄光性顔料とＨＤＡ９０よりも小さい値の原料は、混合装置を用いて攪拌して均一に混ぜ合わせた。一例として、ＨＤＡ６５である原料８０〜１００重量％に対し、蓄光性顔料の粒子径は１〜１０００μｍ、好ましくは１０〜１００μｍのものを０〜２０重量％、混合装置を用いて均一に混ぜ合わせた。この混ぜ合わせた蓄光性顔料入り原料を用いて、前述の透光性を有する合成樹脂と共押出によって商品情報表示具を成形した。各部位の寸法は、ｂ＝２．０ｍｍ、ｂ１＝１．０ｍｍ、ｂ２＝１．０ｍｍ、Ｔ＝０．２ｍｍである。
【００２７】
本実施形態では、２００６年３月２９日  消防庁告示改正による「誘導灯および誘導標識の基準」に「蓄光式誘導標識」と「高輝度蓄光式誘導標識」の規定に従い、商品情報表示具１の蓄光性顔料の配合量、蓄光部となる第２連結部６の位置、第２連結部６を設ける位置、第２連結部６の肉厚、第２連結部６の表面硬度は、次のように選ばれる。
・強度の観点から蓄光性顔料の配合量は１〜２０％。
・第２連結部６を設ける位置は、商品情報表示具１の上部。
・第２連結部６の肉厚は、０．４〜２ｍｍ。好ましくは、８〜１２ｍｍ。
・第２連結部６の表面硬度は、ＪＩＳ  Ｋ  ６２５３の規格基準に準拠し、ＨＤＡ１５秒で５０〜９０、好ましくは６０〜８０。
【００２８】
＜熱可塑性樹脂について＞
商品情報表示具１に用いる熱可塑性透明樹脂は、メタクリル樹脂、ポリカーボネート樹脂、ポリスチレン樹脂、アクリロニトリルとスチレンを共重合させたＡＳ樹脂、メチルメタクリレートとスチレンを共重合させたＭＳ樹脂、メチルメタクリレートとブタジエンとスチレンとを共重合させたＭＢＳ樹脂、ポリエチレン、ポリエチレンテレフタレート、脂環式アクリル樹脂、脂環式ポリオレフィン樹脂、オレフィン・マレイミド共重合体、シクロヘキサジエン系ポリマ、ブタジエンにアクリロニトリルとスチレンを共重合させたＡＢＳ樹脂、ＡＡＳ樹脂、ＡＥＳ樹脂、ＳＢＳ樹脂などが挙げられる。好ましくは、耐光性の点からメタクリル樹脂、ＭＳ樹脂のうちから選ばれた１種を用いることができる。これらの樹脂のうち、耐白化性の点でポリエチレンテレフタレートが好ましい。
【００２９】
第２連結部６に配合される光拡散層は有機系、無機系などのいずれの拡散剤でもかまわず、例えば炭酸カルシウム、硫酸バリウム、酸化チタン、シリコーン系微粒子、アクリル系微粒子、スチレン系微粒子、ＭＳ系微粒子、ガラス系微粒子などが挙げられるが、本発明で用いる光拡散層は有機系架橋微粒子が好ましい。有機系架橋微粒子を用いることによって、メタクリル樹脂中での光拡散層の分散むらが少なく、光透過性が高く、光拡散性も高い優れた第２連結部６に設計することができる。有機系架橋微粒子として特に好ましいのは、アクリル系樹脂微粒子、スチレン系樹脂微粒子、シリコーン系架橋微粒子である。
【００３０】
アクリル系微粒子としては、例えばメチルメタクリレートなどの単官能ビニル単量体および、多官能ビニル単量体との共重合架橋微粒子が挙げられ、スチレン系樹脂微粒子としては、例えばスチレン単量体と、多官能ビニル単量体との共重合架橋微粒子が挙げられ、シリコーン系架橋微粒子としては、例えばシロキサン単量体の重合架橋微粒子が挙げられる。これらは、いずれも懸濁重合、乳化重合等の重合方法により球状粒子として得られる。
【００３１】
表面硬度は、ＪＩＳ  Ｋ  ６２５３「デュロメータ硬さ試験」に準拠してＡタイプを使用して測定した。その測定結果を表１に示す。供試体の形状は、押出成形によって厚さ２ｍｍ、幅３５ｍｍの平板を作成した。蓄光性顔料の含有量は、母材原料の１〜１０重量％とした。蓄光性顔料の種類は、アルミン酸塩系蓄光顔料を使用した。なお、この蓄光性顔料としては、酸化ストロンチウムなど、他の蓄光性顔料であってもよい。母材である樹脂は、アクリル樹脂を使用したが、ウレタン系樹脂、エステル系樹脂、塩ビ系樹脂、エーテル系樹脂、オレフィン系樹脂、またはスチレン系樹脂などの軟質樹脂を使用してもよい。
【００３２】
【表１】
2013186276.tif 000003
【００３３】
輝度は、ＪＩＳ  Ｚ  ９１０７「安全標識−性能の分類、性能基準及び試験方法」に準拠して測定した。
【００３４】
【表２】
2013186276.tif 000004
【００３５】
本実施形態によれば、商品情報表示具１は第２連結部６が蓄光性顔料によって光を発生するので、停電などに商品情報表示具１の設置環境が暗い状況となっても、蓄光によって本物品の所在を認識することができ、通路などの避難経路の案内として機能させることができる。また支持板５に該支持板５よりも軟質の素材から成る抜止め部１７が形成されるので、商品情報表示具１に背後から商品の当接などによって力が作用しても、商品情報表示具１が商品陳列棚１２から抜け落ちてしまうことを防止することができる。
【００３６】
本発明の他の実施形態の商品情報表示具１ａとして、図５の一部の拡大断面図に示すように、抜止め部１７を挿入部１１の後方側に臨む表面１１ａから突出して形成し、挿入部１１の通路Ｐ側の表面１１ｂから突出して、円柱の一部を成す突部１９を形成してもよい。このような構成によってもまた、前述の実施形態と同様な効果を奏することができる。
【符号の説明】
【００３７】
１  商品情報表示具
２  正面板
３  背面板
４  第１連結部
５  支持板
６  第２連結部
７  畜光部
１０  屈曲部
１１  挿入部
１２  商品陳列棚
１３  棚板
１５  溝
１６  先端部
１７  抜止め部
１８  テーパ面
Ｂ，Ｗ  幅
Ｃ  プライスカード
【図１】
2013186276.tif 000005
【図２】
2013186276.tif 000006
【図３】
2013186276.tif 000007
【図４】
2013186276.tif 000008
【図５】
2013186276.tif 000009